(57)【要約】【目的】注釈が付加された電子文書であった場合に、ユーザーの目的に応じて注釈部分の印刷形態を変更できるようにして電子文書のダイレクトプリント機能の付加価値を向上させることができる印刷装置を提供すること。【構成】電子文書の電子データを何も加工することなく、そのままの形で入力して直接的に印刷処理を行う電子文書の直接印刷手段を有する印刷装置において、オリジナルな電子文書に対して追加的な文字、図形、イメージの各情報を、通常は非印刷項目である注釈として付加する注釈追加手段によって追加された情報をオリジナルな電子文書と関連付け可視情報として印刷処理する追加情報印刷処理手段を設ける。【選択図】　　　図１
2004050722.tif 000002
【特許請求の範囲】
【請求項１】
電子文書の電子データを何も加工することなく、そのままの形で入力して直接的に印刷処理を行う電子文書の直接印刷手段を有する印刷装置において、
オリジナルな電子文書に対して追加的な文字、図形、イメージの各情報を、通常は非印刷項目である注釈として付加する注釈追加手段によって追加された情報をオリジナルな電子文書と関連付け可視情報として印刷処理する追加情報印刷処理手段を有することを特徴とする印刷装置。
【請求項２】
追加情報印刷処理手段における印刷処理時に、オリジナルな電子文書に対する追加情報印刷時の印刷方法を選択する注釈印刷方法選択手段、その選択結果に基づき追加情報をオリジナルな電子文書と関連付け可視情報として印刷処理するための追加情報印刷処理手段を持つことを特徴とする請求項１記載の印刷装置。
【請求項３】
追加情報印刷処理手段は、注釈やメモを本文上に描画する際に描画論理を選択的にできるように印刷する注釈印刷手段１又は注釈を本文の周囲に配置して印刷する注釈印刷手段２によって構成されることを特徴とする請求項１記載の印刷装置。
【発明の詳細な説明】
【０００１】
【発明の属する技術分野】
本発明は、電子文書の印刷処理技術に関するものであり、特に電子文書を直接受け取って印刷処理が可能な印刷装置に関するものある。
【０００２】
【従来の技術】
従来、電子文書における、注釈やメモと言った追加情報は、電子文書のデータファイル閲覧手段であるＤｏｃｕｍｅｎｔ　Ｖｉｅｗｅｒや、編集手段であるＤｏｃｕｍｅｎｔ　Ｅｄｉｔｏｒといったアプリケーションソフトを用いてホストコンピュータ上では見ることができた（図３、図４参照）が、それらの注釈やメモと言った追加情報を電子文書の本文と共に印刷結果として得るための手段はなかった。本文には、注釈やメモが張り付いている場所に、それらを識別するためのマーク（アイコン）のみが印刷されていた。
【０００３】
従来、電子文書における、注釈やメモといった追加情報は、本文と共に印刷されず、別途、その注釈の一覧表を出力する機能は存在した。（図５参照）
従来、電子文書を印刷する際は、電子文書のデータファイル閲覧手段であるＤｏｃｕｍｅｎｔ　Ｖｉｅｗｅｒや、編集手段であるＤｏｃｕｍｅｎｔ　Ｅｄｉｔｏｒといったアプリケーションソフトを先ず起動し、そのアプリソフトのメニューより印刷を実行するのが一般的であった。この際、プリンタドライバのメニューに注釈の印刷を行うかどうかを選択するチェックボックスが現れた（図６参照）。
【０００４】
従来、電子文書を印刷する際に、電子文書のデータファイル閲覧手段であるＤｏｃｕｍｅｎｔ　Ｖｉｅｗｅｒや、編集手段であるＤｏｃｕｍｅｎｔ　Ｅｄｉｔｏｒといったアプリケーションソフトを用いずに、印刷装置に対して直接電子文書を送って印刷するダイレクト印刷機能も存在したが、その場合は、注釈の印刷の有無を選択する手段は存在しなかった。
【０００５】
Ｄｏｃｕｍｅｎｔ　Ｖｉｅｗｅｒで見ることができる注釈やメモは、常に電子文書の本文に対して上書きであったため、注釈やメモの下に隠れてしまったところが確認しずらかった。注釈やメモはアイコン化して表示をすることが可能である。
【０００６】
電子文書における校正指示であっても通常印刷物の校正と同様、一旦、校正用の印刷を校正配布先分の枚数を印刷し配布し、その印刷原稿にいわゆる媒赤入れ媒をするのが一般的であった。
【０００７】
電子文書そのものの公知の技術としては、アドビ・システムズのポータブルドキュメントフォーマット（ＰＤＦ）があるが、そのデータフォーマットは、下記ＵＲＬにて一般に公開しているものである（Ｐｏｒｔａｂｌｅ　Ｄｏｃｕｍｅｎｔ　Ｆｏｒｍａｔ（ＰＤＦ）は、カリフォルニア州サンノゼのＡｄｏｂｅ　Ｓｙｓｔｅｍｓ　Ｉｎｃ．の商標である）。
【０００８】
ｈｔｔｐ：／／ｐａｒｔｎｅｒｓ．ａｄｏｂｅ．ｃｏｍ／ａｓｎ／ｄｅｖｅｌｏｐｅｒ／ａｃｒｏｓｄｋ／ＤＯＣＳ／ｐｄｆｓｐｅｃ．ｐｄｆ
【発明が解決しようとする課題】
従来、電子文書における、注釈やメモといった追加情報は、電子文書のデータファイル閲覧手段であるＤｏｃｕｍｅｎｔ　Ｖｉｅｗｅｒや、編集手段であるＤｏｃｕｍｅｎｔ　Ｅｄｉｔｏｒといったアプリケーションソフトを用いてホストコンピュータ上では見ることができた（図３、図４参照）が、それらの注釈やメモといった追加情報を電子文書の本文と共に同一紙面上の印刷結果として得るための手段はなかったため、校正や添削の際に本文と注釈等の追加情報を別々に印刷してその対応を取る必要があり、認識性が悪くなり、間違いや見落としといったミスの一因にもなっていた。
【０００９】
又、従来、電子文書における注釈やメモといった追加情報は、電子文書のデータファイル閲覧手段であるＤｏｃｕｍｅｎｔ　Ｖｉｅｗｅｒや、編集手段であるＤｏｃｕｍｅｎｔ　Ｅｄｉｔｏｒといったアプリケーションソフトを用いてホストコンピュータ上では見ることができたが、ホストコンピュータ上の画面では、本文に対し注釈が上書きされることによって原稿が隠れてしまう場合や注釈同士の重なり合って可読できない場合は、その注釈をマウスで選択して画面上で容易に移動することで目的とする部分を見ることが可能であるが、印刷結果として紙面に固定する際には、画面のスナップショットを取っても、どこかに可読できない領域ができる可能性があり認識性の観点では問題があった。
【００１０】
更に、従来の方法では、電子文書を閲覧、印刷するためには、パソコン上で電子文書のデータファイルの閲覧手段であるＤｏｃｕｍｅｎｔ　Ｖｉｅｗｅｒや、編集手段であるＤｏｃｕｍｅｎｔ　Ｅｄｉｔｏｒといったアプリケーションソフトで一旦電子文書を開いた上で、プリンタドライバを選択して印刷を行うという煩雑な操作をマスターしなければならず、ネットワーク上に多数存在し流通している電子文書にアクセスする際に、パソコンの操作に不慣れなユーザにとっては、インターネットの安価で迅速というメリットを享受できないでいる。
【００１１】
更に、本来、電子文書として独立したレイアウト情報を持っているにも拘らず、追加のアプリケーションやプリンタドライバ等の不可的な手段によってデータを別の書式に加工することは無駄な工程であった。
【００１２】
つまり、以上をまとめると本発明が解決しようとする課題は以下の３点である。
【００１３】
１．電子文書における注釈等の追加情報を本文と同一紙面上に印刷できていないという課題。
【００１４】
２．たとえ、同一紙面上に印刷可能となっても、本文に対し注釈が上書きされることによって原稿が隠れてしまうとか、注釈同士の重なり合いによって隠れてしまう部分が出てくるといった課題。
【００１５】
３．追加のアプリケーションやプリンタドライバに新たな機能追加をせず実現するための課題。
【００１６】
本発明は上記従来の問題点に鑑みてなされたもので、その目的とする処は、注釈が付加された電子文書であった場合に、ユーザーの目的に応じて注釈部分の印刷形態を変更できるようにして電子文書のダイレクトプリント機能の付加価値を向上させることができる印刷装置を提供することにある。
【００１７】
【課題を解決するための手段】
上記目的を達成するため、本発明は、電子文書の電子データを何も加工することなく、そのままの形で入力して直接的に印刷処理を行う電子文書の直接印刷手段を有する印刷装置において、オリジナルな電子文書に対して追加的な文字、図形、イメージの各情報を、通常は非印刷項目である注釈として付加する注釈追加手段によって追加された情報をオリジナルな電子文書と関連付け可視情報として印刷処理する追加情報印刷処理手段を有することを特徴とする。
【００１８】
【発明の実施の形態】
以下に本発明の実施の形態を添付図面に基づいて説明する。
【００１９】
図１は本発明の実施形態の概要を示す図であり、１００は印刷装置、２００はホストコンピュータ、３００はホストコンピュータと印刷装置を結ぶＮｅｔｗｏｒｋ回線を示す。
【００２０】
又、図１における１１０のプリンタコントローラは、機能ブロックを概念的に図示したものである。プリンタコントローラ１１０及びホストコンピュータ２００は、中央演算処理装置（ＣＰＵ）、リードオンリーメモリ（ＲＯＭ）、ランダムアクセスメモリ（ＲＡＭ）、ハードディスクドライブ（ＨＤＤ）、各種入出力制御部（Ｉ／Ｏ）等のハードウェアの元で、基本ソフトと呼ばれるソフトウェアがその制御を司り、その基本ソフトの元で、Ｎｅｔｗｏｒｋ通信の処理や、電子文書の送受信処理（例えば、ＣＯＰＹコマンドや１ｐｒコマンドのようなビルトインコマンドであっても良い）や、印刷ジョブの画像展開処理や、ジョブの制御といったそれぞれの応用ソフトが動作する構成になっている。
【００２１】
本発明は、上記構成において、ホストコンピュータ２００に存在する電子文書２０１を印刷装置本体に送出するためのアプリケーション２０２を介して印刷装置に直接送信する系における印刷装置本体側の印刷処理によって実施されるものである。
【００２２】
本発明では、電子文書に通常は非印刷項目である注釈として付加する注釈追加手段によって追加された情報を、オリジナルな電子文書と関連付け可視情報として印刷処理する追加情報印刷処理手段を、通常の電子文書印刷手段に加えて、電子文書データから注釈情報を読み出すための追加情報読み取り手段、その追加情報を電子文書のレンダリング結果に描画するための追加情報描画手段によって構成するよって実現されるものである。
【００２３】
先ず、本発明を適用する印刷システムの印刷を担うレーザービームプリンタ（以下、「ＬＢＰ」と記述）の構成について説明する。
【００２４】
図１において、１００はＬＢＰ本体であり、Ｎｅｔｗｏｒｋ等を介して外部に接続されているホスト・コンピュータ等から供給される電子文書や、ＰＤＬコードになったプリントデータ（文字コードやイメージデータ及び制御コードから成る印刷情報）を入力して記憶するとともに、それらの情報に従って対応する文字パターンや印刷イメージ等を作成し、記憶媒体である記録紙上に像を形成する。
【００２５】
１２０は操作のためのスイッチ及びＬＥＤ表示器等が配されているオペレーション・パネル、１１０はＬＢＰ本体１００の制御及びホスト・コンピュータから供給される文字情報等を解析し印刷処理を行うプリンタコントローラ部である。このプリンタコントローラ部１１０において展開された印刷情報は、対応するパターンのビデオ信号に変換され、入力されたビデオ信号に応じて半導体レーザから発射されるレーザ光によって静電ドラム上を走査露光することで静電潜像が形成され、この潜像は、静電ドラムの周囲に配設された現像ユニットにより現像された後、記録紙に転写される構成となっている。
【００２６】
尚、本発明を適用可能な印刷装置は、ＬＢＰに限られるものではなく、カラーＬＢＰであってもインクジェットプリンタをはじめとする他のプリント方式のプリンタでも良く、デジタル複写機のような複合機能を有する印刷装置であっても良いことは言うまでもない。
【００２７】
印刷装置１００において、プリンタコントローラ部は、ホスト・コンピュータとの接続手段であるところのネットワークインタフェース（Ｉ／Ｆ）部１１１と、受信データ等を一時的に保持管理するための受信バッファ１１２１、送信データ等を一時的に保持管理するための送信バッファ１１２２、印刷データの解析を司る電子文書解析部又はＰＤＬ解析部１１３、印刷制御処理実行部１１４、描画処理実行部１１５、ページメモリ１１６等より構成されている。
【００２８】
ネットワークインタフェース（Ｉ／Ｆ）部１１１は、ホスト・コンピュータ２００との印刷データの送受信をＮｅｔｗｏｒｋ３００を介して行う通信手段あり、通信プロトコルとしてＴＣＰ／ＩＰ等の各種ネットワークプロトコルに準拠した通信を可能とするものである。このネットワークインタフェース部１１１を通して受信した印刷データは、そのデータを一時的に保持する記憶手段である受信バッファ１１２１に逐次蓄積され、必要に応じて電子文書解析部又はＰＤＬ解析部１１３又は描画処理実行部１１５によって読み出され処理される。
【００２９】
電子文書解析部又はＰＤＬ解析部１１３は、電子文書を直接解析する電子文書解析プログラム又は各ＰＤＬコマンド体系や印刷ジョブ制御言語に準じた制御プログラムにより構成されており、ここで解析された電子文書及びＰＤＬデータは、文字印字、図形、イメージ等の描画に関する印刷データの解析結果は描画処理実行部１１５に指示を与えて処理し、給紙選択やリセット命令等の描画以外のコマンドは、印刷制御処理実行部１１４に指示を出し処理する。
【００３０】
描画処理実行部１１５では、文字やイメージの各オブジェクトをページメモリ１１６に逐次展開していく。又、符号化されたイメージデータを復号化してページメモリに展開する際には、この描画処理実行部１１５においてデータ復号化処理がなされる。この展開処理とプリンタエンジンへのビデオ信号のシッピングの追いかけっこ、つまり、バンディング制御によってページメモリ１１６は管理されていても良く、十分なメモリがある場合は、１ページ分が展開可能な領域を確保しても良い。尚、プリンタコントローラ部１１０は、各機能ごとに専用のコントローラ・ハードウェアを用意して独立して処理される構成であっても構わない。
【００３１】
オペレーション・パネル１２０は、印刷装置の各種状態を設定・表示するためのものである。出力制御部１３０は、ページメモリ１１６の内容をビデオ信号に変換処理し、プリンタエンジン部１４０へ画像転送を行う。プリンタエンジン部１４０は、受け取ったビデオ信号を記録紙に永久可視画像形成するための印刷機構部である。
【００３２】
次に、図２において、電子文書の構成の一例を示す。電子文書のデータファイルは、大別すると、ヘッダー４０１、カタログ４０２、オブジェクト４０３、トレーラー４０４によって構成されている。
【００３３】
ヘッダー４０１は、その電子文書を特定するためのキーとなるヘッダー情報を含んでおり、例えば、ＰＤＦでは、「媒％ＰＤＦ−１．４媒」のような文字列を含んでいる。カタログ４０２は、文書の目次に相当するものであり、ファイルの中の全ての間接オブジェクトのファイル内位置を格納した相互参照テーブル（Ｘｒｅｆテーブルと呼ぶ）として定義されているものである。
【００３４】
オブジェクト４０３は、文書内で使われるフォント、テキスト、グラフィックス、イメージ等の描画オブジェクトや、ＰＤＦファイル全体の木構造の根に当たるＣａｔａｌｏｇオブジェクト、アウトライン目次に出てくるページの木構造を構成し、各ページへのポインタを作るＰａｇｅオブジェクト、描画される個別のページを記述したＰａｇｅオブジェクト等から構成される。
【００３５】
例えば、１つのテキストオブジェクトはテキスト文字列、テキストの配置位置、フォント名、文字サイズ、文字色等の情報を持つ。更に、それらの属性は、他のオブジェクトと共用可能なオブジェクトとすることができる。例えば、幾つかのテキストオブジェクトは、同一のフォントオブジェクトを参照することが可能である。トレーラ４０４は、Ｘｒｅｆテーブルのテーブルの要素数や相互参照テーブルの開始アドレスを規定するものである。
【００３６】
例えば、注釈が追加された場合は、ファイル構成として、図７に示すようなＡｎｎｏｔａｔｉｏｎ（注釈）オブジェクトが、追加オブジェクトとして追加されることになる。
【００３７】
Ａｎｎｏｔａｔｉｏｎ（注釈）オブジェクトは、図７に示すような構造を持ち、オブジェクトＴｙｐｅ識別子５０１は、そのオブジェクトが、Ａｎｎｏｔａｔｉｏｎオブジェクトであることを示し、サブオブジェクトＴｙｐｅ識別子５０２は、Ａｎｎｏｔａｔｉｏｎの種別を規定する。ここでは、テキストというサブタイプを規定しているが、グラフィックスやイメージ、音声や動画であっても構わない。５０３のＲｅｃｔは、文書中におけるＡｎｎｏｔａｔｉｏｎオブジェクトのレイアウト情報である。
【００３８】
図３に示すようにテキストの注釈は矩形であるため、その左上と右下の座標をもってレイアウト情報とする。５０４は、注釈を誰が追加したかを示すオーナー情報である。５０５は、テキスト情報の属性を示すもので、フォント名や文字サイズを規定する。５０６は、実際の注釈の内容を示すテキスト列である。最後に５０７としてオブジェクトの終わりを示す終端子が入る。
【００３９】
以上、図１、図２、図７を元に本発明を構成する各構成要素について説明したが、次に本発明の動作結果について図８及び図９を用いて説明する。
【００４０】
図８は注釈を含む電子文書を本発明の印刷装置によって印刷処理した結果の一例である。従来では、注釈部分は、本文上にはアイコンの形で印刷される程度で、注釈の内容そのものを印刷していなかった。又、本発明では、注釈を印刷する際に、以下の４つの選択肢から注釈部分の印刷方法を選択する。
【００４１】
▲１▼注釈無しで印刷。
【００４２】
▲２▼注釈部分を透過で印刷。
【００４３】
▲３▼注釈部分を上書きで印刷。
【００４４】
▲４▼注釈部分を周囲に配置印刷する。
【００４５】
この注釈印刷方法選択手段としては、具体的には、印刷装置本体のオペレーション・パネル１２０若しくは電子文書データの前後にジョブ制御情報として印刷方法を選択するためのコマンド列を付加するよう構成しても良い。この場合は、具体的には、ＰＪＬやＪｏｂＴｉｃｋｅｔといった既存のジョブ制御言語を拡張して、それによって指示をすれば良い。
【００４６】
図８は、▲３▼の指定をした場合の印字結果の一例であり、図９は、▲４▼を指定した場合の印字結果の一例であり、一回り大きな用紙を使い、本分にかぶらないように周囲に注釈を配置して印刷を行ったものである。
【００４７】
次に、本発明の動作について図１０を用いて処理の流れの概要を説明する。
【００４８】
図１０は本発明の処理の流れを示すフローチャートである。
【００４９】
先ず、電子文書の印刷に先立ち、ステップ（１）において電子文書のデータフォーマットとして図２で示したカタログ部分をメモリ上に取り込む。電子文書のデータそのもの全体は、一旦印刷装置側のファイルシステムに登録する。こうすることで、各オブジェクトへのインデックスは、カタログを参照することで高速に取得でき、大きな文書であっても処理可能となる（ステップ（２））。
【００５０】
次に、ステップ（３）として、各オブジェクトの処理分岐は、カタログに記述されたオブジェクトの順に処理を実行する。
【００５１】
ここで、従来通りの印刷処理はステップ（４）に進み行われる。従来と異なる本発明の動作はステップ（３）であり、従来は、注釈オブジェクトは、無条件でアイコンを印刷する処理が実行されていたが、本発明では、注釈印刷方法選択手段であるところの、印刷装置本体のオペレーション・パネル１２０若しくは電子文書データの前後にジョブ制御情報として印刷方法を選択するためのコマンド列によって、その指示を与え、その指示に従って注釈を印刷する際の４つの選択肢から注釈部分の印刷方法を選択する。
【００５２】
▲１▼注釈無しで印刷の場合は、注釈オブジェクトはスキップして処理するので、アイコン化の印刷処理も行わない。
【００５３】
▲２▼注釈部分を透過で印刷の場合は、注釈オブジェクトを印刷する際、注釈の矩形領域情報に対して、透過という描画論理を設定し、下地となる描画オブジェクトが透過率５０％で；描画されるよう処理する。
【００５４】
▲３▼注釈部分を上書きで印刷の場合は、注釈オブジェクトを印刷する際、注釈の矩形領域情報に対して、上書きという描画論理を設定してレンダリングを行う。
【００５５】
▲４▼注釈部分を周囲に配置印刷する場合は、先ず、現在選択されている用紙の倍のサイズの用紙が印刷可能かどうかを確認する。例えば、入力した電子文書がＡ４でレイアウトされているものなら、Ａ３が印刷可能かどうかを確認する。
【００５６】
又、もし印刷不可能であった場合は、入力した電子文書を半分のサイズにレイアウトして印刷する。例えば、Ａ３用紙であれば、電子文書の本文は、Ａ４に縮小印刷して、実際の給紙はＡ３を給紙することで注釈部分を周囲に配置するためのスペースを確保する。このようにして確保されたスペースに対して、図９に示すように本文文書の外側に順に注釈を配置する。この際、注釈オブジェクトのＲＥＣＴ情報を無視して、余白サイズを基準に注釈のレンダリングを行う。
【００５７】
以上のような注釈オブジェクトの処理によって、本発明は実現される。
【００５８】
各オブジェクトの処理の後はステップ（５）において、ページの終わりかどうかを判別する。未だ同一ページ中に処理すべきオブジェクトが存在する場合は、ステップ（２）から処理を繰り返す。又、ページの処理が終わった場合は、ステップ（６）に進み、最終ページまで処理ができたかどうかをチェックする。最終ページだった場合は、電子文書の印刷処理を終了し、処理のために読み込んだ電子文書ファイルもこのタイミングで破棄する。
【００５９】
以上、述べてきたような処理手順によって、本発明の実施例は実現される。
【００６０】
【発明の効果】
以上の説明で明らかなように、本発明によれば、電子文書の校正の際に、ユーザーの目的に応じて注釈部分の印刷形態を変更できるようにした電子文書の直接印刷機能が提供可能となり、従来は、ホスト上の専用アプリケーションでの画面上でしか本文との関係を直接的に認識できた点を、印刷結果としても得られるようにした上、印刷時に問題となる本文と注釈との重なり合いの問題を解決して、校正作業における印刷物での確認手段において認識率の改善を図るという優れら効果を奏することができる。
【図面の簡単な説明】
【図１】本発明の実施形態の概要を示す図である。
【図２】電子文書のデータ構成の一例を示す図である。
【図３】電子における注釈のホスト側画面での表示例（オープン時）を示す図である。
【図４】電子における注釈のホスト側画面での表示例（アイコン化時）を示す図である。
【図５】従来の注釈一覧印刷機能の一例を示す図である。
【図６】ホスト側のプリンタドライバにおける注釈印刷の設定の一例を示す図である。
【図７】Ａｎｎｏｔａｔｉｏｎ（注釈）オブジェクトのデータ構造の一例を示す図である。
【図８】媒注釈部分を上書きで印刷する媒を指定をした場合の印字結果の一例を示す図である。
【図９】媒注釈部分を周囲に配置印刷する媒を指定をした場合の印字結果の一例を示す図である。
【図１０】本発明の処理の流れを示すフローチャートを示す図である。
【符号の説明】
１００　　　印刷装置（ＬＢＰ）
１１０　　　フォーマッタ制御部
１１１　　　インタフェース
１１２１　　受信バッファ
１１２２　　送信バッファ
１１３　　　電子文書解析部およびＰＤＬ解析部
１１４　　　印刷制御処理実行部
１１５　　　描画処理実行部（レンダラ）
１１６　　　ページメモリ
１２０　　　オペレーション・パネル
１３０　　　出力制御部
２００　　　ホスト・コンピュータ
２０１　　　電子文書
２０２　　　アプリケーション・ソフト
２０３　　　ネットワークインタフェース
２１０　　　キーボード
２１１　　　マウス
２２０　　　ディスプレイ・モニタ
【図１】
2004050722.tif 000003
【図２】
2004050722.tif 000004
【図３】
2004050722.tif 000005
【図４】
2004050722.tif 000006
【図５】
2004050722.tif 000007
【図６】
2004050722.tif 000008
【図７】
2004050722.tif 000009
【図８】
2004050722.tif 000010
【図９】
2004050722.tif 000011
【図１０】
2004050722.tif 000012